(57)【要約】      （修正有）【課題】水中で行う筋力トレーニングを目的とした足に履く水中で繰り返し利用出来る靴下に、足首から先部分に抵抗となるひれ部と、ゴム製の抵抗板を差し込めるポケットを設けた靴下と、運動強度の選択を可能とするゴム製の抵抗板を提供する。【解決手段】水中で繰り返し利用出来る靴下１に足首から先部分にひれ部２を設ける。足首から先部分にひれ部２は、幅に変化を設ける事で強度の調整と選択を可能とする。足首から先部分のひれ部２と水中で繰り返し利用出来る靴下１の間に、ゴム製の抵抗板の出し入れを可能にするポケット４を設ける。ゴム製の抵抗板には、同形状で厚みの違う種類を設け、強度の調整と選択を可能とする。【選択図】図１
2006116282.tif 000002
【特許請求の範囲】
【請求項１】
足に履く水中で繰り返し利用出来る靴下（１）に足首から先部分にひれ部（２）を付帯した水中で筋力トレーニングをする為の靴下。
【請求項２】
足に履く水中で繰り返し利用出来る靴下（１）と足首から先部分ひれ部（２）との間に、差し込む出し入れ可能なゴム製抵抗板（３）
【請求項３】
足に履く水中で繰り返し利用出来る靴下（１）と足首から先部分のひれ部（２）との間に、ゴム製の抵抗板（３）の出し入れを可能にするポケット（４）を有した請求項１記載の水中で筋力トレーニングをする為の靴下。
【発明の詳細な説明】
【発明の詳細な説明】
【発明の属する分野】
【０００１】この発明は、水中で行うトレーニングで使用するものであって、個人の体力に合わせ調整し利用する事の出来る運動器具に関するものである。
【背景技術】
【０００２】従来水中で推進力を得る為の足ひれの存在は知られている。
従来マリンスポーツなどで、足ひれの中で摩擦による足部の損傷を防ぐ為に足ひれの中に靴下を装着する事は知られている。
従来水中運動で水の抵抗を増加させる為に手に装着し運動効果を高める事は知られている。
【発明が解決しようとする課題】
【０００３】水の粘性と抵抗をトレーニングに生かす為の道具として、従来の足ひれでは、フィット感に乏しく、ひれ自体の長さの調整や強度の調整が図れなかった。
また、足ひれ内の保護の為に使用する靴下でも、フィット感は得られても強度の調整が図れなかった。
本発明は以上の問題点を解決し、トレーニング時に於ける、フィット感と個人の体力による強度の調整が出来るようになされたものである。
【課題を解決する手段】
【０００４】足に履く水中で繰り返し利用出来る靴下（１）に足首から先部分にひれ部（２）を設ける。
足に履く水中で繰り返し利用出来る靴下（１）と足首から先部分のひれ部（２）の間に、ゴム製の抵抗板（３）の出し入れを可能にするポケット（４）を設ける。
強度の調整が出来る様、足首から先部分のひれ部（２）の幅の違う種類を設ける。
ゴム製の抵抗板（３）には強度が調整できる様、同形状で厚みの違う種類を設ける。
本発明は、以上の構成よりなる水中で筋力トレーニングをする為の靴下である。
【発明を実施するための最良の形態】
【０００５】以下、本発明の実施の形態を説明する。
（イ）ウェットスーツ等の水中で繰り返し利用出来る生地で作成されている足に履く水中で繰り返し利用出来る靴下（１）に足首から先部にひれ部（２）を設け水の抵抗を受けやすくする。
（ロ）足首から先部分に設けるひれ部（２）はその幅に段階を設ける事で強度調整と選択を可能とする。
（ハ）足に履く水中で繰り返し利用出来る靴下（１）に足首から先部分のひれ部（２）の間に、ゴム製の抵抗板（３）の出し入れを可能にするポケット（４）を設け抵抗強度を高めるゴム製の抵抗板（３）の脱着と強度の調整を可能とする。
（ニ）ゴム製の抵抗板（３）には厚みの違うものを設け、個別の強度調整と選択を可能とする。
本発明は、以上の構成よりなる。
【発明の効果】
【０００６】本発明を利用する事で、大腿四頭筋群を中心とした筋肉の強化を図るだけでなく、水の粘性と抵抗を利用したトレーニングを個人の体力に合わせ実施する事が出来、低体力者、高齢者を中心とした利用者の運動参加率を高め、健康で活動的な毎日を過ごせる人々の増加を図ることが出来る。
【図１】
2006116282.tif 000003
【図２】
2006116282.tif 000004
【手続補正書】
【提出日】平成17年1月8日(2005.1.8)
【手続補正２】
【補正対象書類名】明細書
【補正対象項目名】全文
【補正方法】変更
【補正の内容】
【発明の詳細な説明】
【発明の分野】
【０００１】  この発明は、水中で行うトレーニングで使用するものであって、個人の体力に合わせ調整し利用する事の出来る運動器具に関するものである。
【背景技術】
【０００２】  従来水中で推進力を得る為の足ひれの存在は知られている。
従来マリンスポーツなどで、足ひれの中で摩擦による足部の損傷を防ぐ為に足ひれの中に靴下を装着する事は知られている。
従来水中運動で水の抵抗を増加させる為に手に装着し運動効果を高める事は知られている。
【発明が解決しようとする課題】
【０００３】  水の粘性と抵抗をトレーニングに生かす為の道具として、従来の足ひれでは、フィット感に乏しく、ひれ自体の長さの調整や強度の調整が図れなかった。
また、足ひれ内の保護の為に使用する靴下でも、フィット感は得られても強度の調整が図れなかった。
本発明は以上の問題点を解決し、トレーニング時に於ける、フィット感と個人の体力による強度の調整が出来るようになされたものである。
【課題を解決する手段】
【０００４】  足に履く水中で繰り返し利用出来る靴下（１）に足首から先部分にひれ部（２）を設ける。
足に履く水中で繰り返し利用出来る靴下（１）と足首から先部分のひれ部（２）の間に、ゴム製の抵抗板（３）の出し入れを可能にするポケット（４）を設ける。
強度の調整が出来る様、足首から先部分のひれ部（２）の幅の違う種類を設ける。
ゴム製の抵抗板（３）には強度が調整できる様、同形状で厚みの違う種類を設ける。
本発明は、以上の構成よりなる水中で筋力トレーニングをする為の靴下である。
【発明を実施するための最良の形態】
【０００５】  以下、本発明の実施の形態を説明する。
（イ）ウェットスーツ等の水中で繰り返し利用出来る生地で作成されている足に履く水中で繰り返し利用出来る靴下（１）に足首から先部分にひれ部（２）を設け水の抵抗を受けやすくする。
（ロ）足首から先部分に設けるひれ部（２）はその幅に段階を設ける事で強度調整と選択を可能とする。
（ハ）足に履く水中で繰り返し利用出来る靴下（１）に足首から先部分のひれ部（２）の間に、ゴム製の抵抗板（３）の出し入れを可能にするポケット（４）を設け抵抗強度を高めるゴム製の抵抗板（３）の脱着と強度の調整を可能とする。
（ニ）ゴム製の抵抗板（３）には厚みの違うものを設け、個別の強度調整と選択を可能とする。
本発明は、以上の構成よりなる。
【発明の効果】
【０００６】  本発明を利用する事で、大腿四頭筋群を中心とした筋肉の強化を図るだけでなく、水の粘性と抵抗を利用したトレーニングを個人の体力に合わせ実施する事が出来、低体力者、高齢者を中心とした利用者の運動参加率を高め、健康で活動的な毎日を過ごせる人々の増加を図ることが出来る。
【図面の簡単な説明】
【０００７】
【図１】・・・・・足ひれトレーナ  脚力くん  立面図
【図２】・・・・・抵抗板  立面図
【符号の説明】
【０００８】  １・・・発明品（足ひれトレーナー  脚力くん）の全体像。
２・・・使用時に水の抵抗を受け負荷の元となる部分。
足首より先端まで１枚の布にて形成されており、つま先より先部分のひれが抵抗となる
ひれの長さは強度により種類を設ける。
３・・・使用時の負荷値を高める為のゴム製の抵抗板。
ゴムの厚さは強度によって種類を設ける
４・・・３のゴム製の抵抗板を、出し入れ可能にするポケット。
足を包む靴下の部分と、２のひれ部の先端を縫い合わせた間の隙間をポケットとする。